(57)【要約】【課題】  従来の各種封緘具は、ループ状にする場合の作業性や、逆止効果からみた機能は優秀であるために、これまでは、ブランドタグ、プライスタグの取り付け用や、電線等の結束用に広く使用されているにも関わらず、故意に外すことが可能で、封緘具として使用するには不安があり、封緘用には使用しにくいという問題が残っていた。【解決手段】  係止頭部の周りに、帯状部とロック部との係止部分の改ざんを防止できる程度に覆う改ざん防止部を配備する一方、この改ざん防止部から帯状部を延設し、さらに、係止頭部と改ざん防止部を、小さな外力で破壊できるように連結した構成とする。これにより、改ざんがしにくく、しかも、小さな外力で簡単に封緘を解くことができ、さらに、係止頭部が、帯状部に残ることになるので、封緘が解かれた場合、その痕跡をはっきり確認できると共に、再利用を不可能にできる。【選択図】図１
2005067720.tif 000002
【特許請求の範囲】
【請求項１】
挿通孔を有する係止頭部と、前記挿通孔に通す帯状部と、この帯状部を前記挿通孔に通した後、この帯状部を係止するロック部を前記係止頭部に有する封緘具であって、前記係止頭部の周りに、前記帯状部とロック部との係止部分の改ざんを防止できる程度に覆う改ざん防止部を配備する一方、この改ざん防止部から前記帯状部を延設し、さらに、前記係止頭部と改ざん防止部を、小さな外力で破壊できるように連結した封緘具。
【請求項２】
改ざん防止部の形状を、挿通孔の軸線方向を開放する筒状に形成する一方、この筒状軸線方向の寸法を、ロック部の改ざんがしにくい程度まで延長した請求項１記載の封緘具。
【請求項３】
改ざん防止部からアクセサリー部を延設した請求項１及び２記載の封緘具。
【請求項４】
アクセサリー部の一部又は全部を平板状に形成した請求項３記載の封緘具。
【請求項５】
アクセサリー部にＩＣタグを設けた請求項３、４記載の封緘具。
【請求項６】
帯状部に、大形部と小形部とを交互に複数設けるとともに、係止頭部のロック部を、中空コレット状の複数の可撓爪とし、この可撓爪は、前記大形部が中空部分を通過するときに外側に広がって帯状部を順送し、前記小形部分が通過するときには、自身の弾性力で元の位置に復帰して、帯状部の逆送を防止するようにした請求項１〜５記載の封緘具。
【請求項７】
帯状部をフィラメント状に形成するとともに、この帯状部の自由端側に、縮小拡大可能な矢尻状の結合部を設ける一方、係止頭部のロック部を前記結合部の拡大時の外形寸法よりも小形で、縮小時の外形寸法よりも大形の穴を持つ固定歯にした請求項１〜５記載の封緘具。
【請求項８】
帯状部をフィラメント状に形成するとともに、この帯状部の自由端側に、縮小拡大可能な矢尻状の結合部を設け、さらに、前記フィラメントの中間部を二つ折りにする一方、係止頭部のロック部を、前記結合部の拡大時の外形寸法よりも小形で、縮小時の外形寸法よりも大形の穴を持つ固定歯にした請求項１〜５記載の封緘具。
【請求項９】
帯状部をフィラメント状に形成するとともに、この帯状部の自由端側に、矢尻状の結合部を設ける一方、係止頭部のロック部を縮小拡大可能な挿通孔状に形成し、このロック部は、縮小時に前記結合部の外形寸法よりも小形で、拡大時に前記結合部の外形寸法よりも大形にした請求項１〜５記載の封緘具。
【請求項１０】
帯状部をフィラメント状に形成するとともに、この帯状部の自由端側に、矢尻状の結合部を設け、さらに、前記フィラメントの中間部を二つ折りにする一方、係止頭部のロック部を縮小拡大可能な挿通孔状に形成し、このロック部は、縮小時に前記結合部の外形寸法よりも小形で、拡大時に前記結合部の外形寸法よりも大形にした請求項１〜５記載の封緘具。
【請求項１１】
帯状部に、鋸歯状の歯を形成する一方、係止頭部のロック部を、揺動自在な爪形状にし、この爪形状部分は、一方向に前記鋸歯状の歯と係合離脱し、逆方向には帯状部の移動を阻止すべく形成した請求項１〜５記載の封緘具。
【発明の詳細な説明】
【技術分野】
【０００１】  本発明は、主にセキュリティを要求される、各種袋や各種箱等を封緘する際に使用する封緘具に関する。
【背景技術】
【０００２】  セキュリティを要求される袋や箱、具体的には、例えば、現金輸送用や郵便用の袋や箱は、最近、合成樹脂製の封緘具が注目されるようになってきた。
その理由は、袋の口や、箱の本体と蓋を簡単に結束でき作業性が良いこと、また、殆どの封緘具は、構造が簡単な上に合成樹脂で一体的に成形ができ、しかも大量生産が可能で安価に提供できるからである。
ここで紹介する従来の封緘具は、未使用状態では直線に近い形状になっていて、使用時に差し込むだけでループ状に形成でき、しかも、一度差し込んだら基本的には抜けないとされている封緘具であって、これまでは、主にブランドタグ、プライスタグを商品に付けるときに使用されているもの、あるいは、主に電線等を結束するために使用されているもので、上記理由から、最近、封緘用として注目されはじめている種類の封緘具である。
上述した封緘具は、従来、大量に使用され、技術的にも完成領域に近づいていることから、これまでの用途では問題がなかったが、封緘具として使用する場合には、まだ、解決しなければならない問題が残っている。【０００３】
【特許文献１】例えば、特公昭４６−１１３７３号公報に開示されている連結部材を封緘具として使用する場合を例にして説明すれば、図１６〜１７に示すように、帯状部１１に、円錐状の大形部１１ｂと直線上の小形部１１ａとを交互に多数設ける一方、係止頭部１２のロック部１２ｂを、中空コレット状の複数の可撓爪１２ｃとし、この可撓爪１２ｃは、前記大形部１１ｂが中空部分１２ａを通過するときに外側に広がって帯状部１１を順送し、前記小形部１１ａが通過するときには、自身の弾性力で元の位置に復帰して、帯状部１１の逆送を防止するようにしている。
【０００４】そして、図１６〜１７のように、帯状部１１を係止頭部１２に挿入すると、大形部１１ｂの円錐部によりロック部１２ｂの可撓爪１２ｃが図１７の実線位置から仮想線位置に撓み大形部１１ｂを通過させる。その後小形部１１ａが通過位置に至ると、可撓爪１２ｃは、自身の弾性力により元の位置に復帰する。このように帯状部１１のループ径が所望の径になるまで、係止頭部１２に帯状部１１を挿入した時の上記作用を繰り返えせば大形部１１ｂの円錐底面が可撓爪１２ｃの先端部に干渉して、挿入方向と逆方向への帯状部１の移動は不可能になるので封緘作業性は良い。【０００５】
【特許文献２】一方、特公昭５７−８４７３号公報、特公昭６０−３６５８８号公報及び、特公昭５６−１６２９４号公報に開示されている封緘具を代表して、特公昭５７−８４７３号公報記載の封緘具について問題点を説明すれば、図１８〜１９において、帯状部２１をフィラメント２１ａ状に形成するとともに、この帯状部２１の自由端側に、縮小拡大可能な羽根２１ｃを持つ矢尻状の結合部２１ｂを設けている。一方、係止頭部２２のロック部２２ｂは、前記結合部２１ｂの拡大時の外形寸法よりも小形で、縮小時の外形寸法よりも大形の穴２２ａを持つ固定歯２２ｃにしている。
【０００６】  すなわち、この封緘具は、結合部２１ｂを穴２２ａに差し込むと、結合部２１ｂの羽根２１ｃが図１９に示す仮想線位置まで縮み、羽根２１ｃが穴２２ａをくぐり抜けたところで元の位置に復帰して、固定歯２２ｃにより逆戻りを防止するので、作業性がよく一応の封緘に使用することができる。【０００７】
【特許文献３】さらに、実公昭５１−４７５７９号公報に開示されている結束バンドを封緘具として使用する場合は、図２０〜２１に示すように、帯状部５１に、鋸歯状の歯５１ｂを形成する。一方、係止頭部５２の挿通孔５２ａに臨むロック部５２ｂを、揺動自在な爪５２ｃ形状にし、この爪５２ｃ部分は、挿通孔５２ｃを通る帯状部５１の鋸歯状の歯５１ｂと相対し、一方向に前記鋸歯状の歯５１ｂと係合離脱し、逆方向には帯状部５１の移動を阻止すべく形成しているので、単純に帯状部５１を係合頭部５２に差し込むだけでループ状になり、大きな力を加えなければ係合頭部５２から、帯状部５１が抜けないので、作業性がよく、一見封緘として使用できそうに思える。
【発明の開示】
【発明が解決しようとする課題】
【０００８】  しかし特公昭４６−１１３７３号公報に開示されている封緘具は、ロック部１２ｂの可撓爪１２ｃが露出しているため、この可撓爪１２ｃを図１７のように、仮想線のように開くと帯状部１１を挿入方向とは逆方向に移動させることができるので、封緘具として使用する場合は、一抹の不安が残る。また、帯状部１１は、一般的に小形部１１ａを延伸して分子配向させるため引張強度が強いことで知られているが、強引に封緘を解除しようとした場合、大形部１１ｂの円錐底部により可撓爪１２ｃの先端がＲ状に変形して、係止頭部１２から帯状部１１が抜け、再使用が可能になるため、封緘具としてはこの点からも問題が残る。【０００９】  また、特公昭５７−８４７３号公報等に開示されている封緘具は、前例同様に、羽根２１ｃをピンセット等で縮めれば、封緘を解くことが不可能ではない。
また、この種の封緘具の多くは、図１９において、結合部２１ｂの差し込み方向と反対方向に外力を加えると、羽根２１ｃは結合部２１ｂ先端方向に反転して、穴２２ａによりしごかれて糸状に延伸しながら穴２２ａから抜ける。この糸状になった羽根２１ｃは、再封緘した場合に、結合部２１ｂの先端部分と穴２２ａの間に挟まり、圧入されることになるので、恰も未使用の封緘具を初めて差し込んだ時と同じ程度の抵抗力となり、改ざんされても気が付かない恐れがある。【０００１０】  さらに、実公昭５１−４７５７９号公報に開示されている結束バンドを封緘具として使用する場合は、図２１に示すように、薄い板状片Ｂを差し込むと、爪５２ｃは、板状片Ｂにより歯５１との係合を解かれ、太い実線位置から、細い仮想線位置に揺動するので、帯状部５１を係合頭部５２から抜くことが可能となり、未使用品を使用する場合と全く同じ状態で、再使用が可能となる。
このように、この種のものを封緘具として使用するには、前例同様に不安が残る。
上述した従来の各種封緘具は、ループ状にする場合の作業性や、逆止効果からみた機能は優秀であるために、冒頭で述べたようにように、ブランドタグ、プライスタグの取り付け用や、電線等の結束用に広く使用されているにも関わらず、いずれの場合も、上述した理由により封緘具としては使用しにくいという問題が残っていた。【００１１】  そこで本発明は、改ざんがしにくく、しかも、小さな外力で簡単に封緘を解くことができる封緘具を提供することを目的とし、さらに、他の目的は従来の各種封緘具の機構を活用して、その優位性を最大限に生かすことができる封緘具を提供することにある。
【課題を解決するための手段】
【００１２】上記目的を達成するために本発明では、次のような手段を用いて課題を解決した。
すなわち、挿通孔を有する係止頭部と、前記挿通孔に通す帯状部と、この帯状部を前記挿通孔に通した後、この帯状部を係止するロック部を前記係止頭部に有する封緘具であって、前記係止頭部の周りに、前記帯状部とロック部との係止部分の改ざんを防止できる程度に覆う改ざん防止部を配備する一方、この改ざん防止部から前記帯状部を延設し、さらに、前記係止頭部と改ざん防止部を、小さな外力で破壊できるように連結した構成とする。【００１３】  なお、第二の課題解決手段は、上記構成に加え、改ざん防止部の形状を、挿通孔の軸線方向を開放する筒状に形成する一方、この筒状軸線方向の寸法を、ロック部の改ざんがしにくい程度まで延長した構成とする。【００１４】  また、第三の課題解決手段は、上記二つの各構成にそれぞれ次の構成部分を加える。
すなわち、改ざん防止部から各種のアクセサリー部を延設した構成とする。【００１５】  さらに、第四の課題解決手段は、上記構成に、アクセサリー部の一部又は全部を平板状に形成した構成部分を加える。【００１６】  そしてさらに、第五の課題解決手段は、第二、第四の課題解決手段の構成に、アクセサリー部にＩＣタグを設けた構成部分を付加する。【００１７】  第六の課題解決手段は、第一〜第五の課題解決手段に、それぞれ、帯状部に、大形部と小形部とを交互に複数設けるとともに、係止頭部のロック部を、中空コレット状の複数の可撓爪とし、この可撓爪は、前記大形部が中空部分を通過するときに外側に広がって帯状部を順送し、前記小形部分が通過するときには、自身の弾性力で元の位置に復帰して、帯状部の逆送を防止するようにした構成部分を付加する。【００１８】  第七の課題解決手段は、第一〜第五の課題解決手段に、それぞれ、帯状部をフィラメント状に形成するとともに、この帯状部の自由端側に、縮小拡大可能な矢尻状の結合部を設ける一方、係止頭部のロック部を前記結合部の拡大時の外形寸法よりも小形で、縮小時の外形寸法よりも大形の穴を持つ固定歯にした構成部分を付加する。【００１９】  第八の課題解決手段は、第一〜第五の課題解決手段に、それぞれ、帯状部をフィラメント状に形成するとともに、この帯状部の自由端側に、縮小拡大可能な矢尻状の結合部を設け、さらに、前記フィラメントの中間部を二つ折りにする一方、係止頭部のロック部を、前記結合部の拡大時の外形寸法よりも小形で、縮小時の外形寸法よりも大形の穴を持つ固定歯にした構成部分を付加する。【００２０】  第九の課題解決手段は、第一〜第五の課題解決手段に、それぞれ、帯状部をフィラメント状に形成するとともに、この帯状部の自由端側に、矢尻状の結合部を設ける一方、係止頭部のロック部を縮小拡大可能な挿通孔状に形成し、このロック部は、縮小時に前記結合部の外形寸法よりも小形で、拡大時に前記結合部の外形寸法よりも大形にした構成部分を付加する。【００２１】  第十の課題解決手段は、第一〜第五の課題解決手段に、それぞれ、帯状部をフィラメント状に形成するとともに、この帯状部の自由端側に、矢尻状の結合部を設け、さらに、前記フィラメントの中間部を二つ折りにする一方、係止頭部のロック部を縮小拡大可能な挿通孔状に形成し、このロック部は、縮小時に前記結合部の外形寸法よりも小形で、拡大時に前記結合部の外形寸法よりも大形にした構成部分を付加する。【００２２】  第十一の課題解決手段は、第一〜第五の課題解決手段に、それぞれ、帯状部に、鋸歯状の歯を形成する一方、係止頭部のロック部を、揺動自在な爪形状にし、この爪形状部分は、一方向に前記鋸歯状の歯と係合離脱し、逆方向には帯状部の移動を阻止すべく形成した構成部分を付加する。【００２３】  第一の課題解決手段による作用は次の通りである。
すなわち、係止頭部の挿通孔に帯状部を通して帯状部をループ状にし、係止頭部にあるロック部が帯状部を係止する。この状態では、帯状部の係止部分、ロック部、係止頭部、小さな外力で破壊できるようにした連結部分、改ざん防止部及び帯状部とで一つのループを形成することになる。
したがって、単に係止頭部の挿通孔に帯状部を通すだけでループを形成するので操作性が良く、しかも、帯状部とロック部との係止部分の改ざんを防止できる他、封緘を外すための僅かな外力を加えるだけで、帯状部と係止頭部とが係止状態のまま、改ざん防止部から係止頭部が離脱させることができる。この場合、係止頭部が、帯状部に残ることになるので、封緘が解かれた場合、その痕跡をはっきり確認できると共に、再利用が不可能になる。【００２４】  また、第二の課題解決手段による作用は、第一の課題解決手段による作用に加え、改ざん防止部の形状を、挿通孔の軸線方向を開放する筒状に形成するので、金型を使用する場合、その製作が容易にできる。【００２５】  第三の課題解決手段による作用は、第一又は、第二の課題解決手段による作用に加え、アクセサリー部を手で持てるので、封緘を解きやすくできるほか、被封緘内容の表示や、他のタグの取付、及び、封緘具自身の姿勢安定用等に利用でき、用途幅が広がる。【００２６】  第四の課題解決手段による作用は、第二の課題解決手段による作用に加え、さらに、平らな部分があるため手で持ちやすくなるほか、被封緘内容等の表示がしやすくなる。【００２７】  第五の課題解決手段による作用は、第三又は、第四の課題解決手段による作用に加え、無線信号で、ブランドタグ、プライスタグを商品に付けて販売する際の、各種情報を顧客に開示したり、現在主流になっているバーコードに替えて、代金の精算を複数の商品一括で行うことができ、商品販売用の封緘具としても活用できる他、出入庫、経由場所、現在地及び封緘内容等を確認することができ等、被封緘品のトレーサビリティが可能となる。【００２８】  第六の課題解決手段による作用は、第一〜第五の課題解決手段による作用それぞれに加え、帯状部を係止頭部に挿入すると、大形部の円錐部によりロック部の可撓爪が撓み、大形部を通過させる。その後小形部が通過位置に至ると、可撓爪は、自身の弾性力により元の位置に復帰する。このように帯状部のループ径が所望の径になるまで、係止頭部に帯状部を挿入した時の上記作用を繰り返えせば大形部の円錐底面が可撓爪の先端部に干渉して、挿入方向と逆方向への帯状部の移動は不可能になるので、ループ径の選択が自由にできるとともに、作業性を良くすることができ、さらに、構造が簡単な上に合成樹脂で一体的に成形ができ、しかも大量生産が可能で安価に提供できる。【００２９】  第七の課題解決手段による作用は、第一〜第五の課題解決手段による作用それぞれに加え、結合部を穴に差し込むと、結合部が縮み、それが穴をくぐり抜けたところで元の位置に復帰して、固定歯により逆戻りを防止するので、簡単な機構で作業性を良くできる。【００３０】  第八の課題解決手段による作用は、第一〜第五の課題解決手段による作用それぞれに加え、結合部を穴に差し込むと、結合部が縮み、それが穴をくぐり抜けたところで元の位置に復帰して、固定歯により逆戻りを防止するので、簡単な機構で作業性を良くできる。
また、帯状部が二つ折りになるので、ループを形成したときに、ループ内の膨らみを小さくできるので、他の物品等がループ内に入り込みにくくなる。その結果、封緘具と、他の物品等の絡みを防止できる。【００３１】  第九の課題解決手段による作用は、第一〜第五の課題解決手段による作用それぞれに加え、帯状部の自由端側に、矢尻状の結合部を設け、係止頭部のロック部を縮小拡大可能な挿通孔状に形成し、このロック部の挿通孔は、縮小時に前記結合部の外形寸法よりも小形で、拡大時に前記結合部の外形寸法よりも大形になるように形成している。
したがって、改ざんするには、挿通孔を広げる必要があり、前例の封緘具よりもさらに改ざんがしにくい。【００３２】  第十の課題解決手段による作用は、第一〜第五の課題解決手段による作用それぞれに加え、帯状部の自由端側に、矢尻状の結合部を設け、係止頭部のロック部を縮小拡大可能な挿通孔状に形成し、このロック部の挿通孔は、縮小時に前記結合部の外形寸法よりも小形で、拡大時に前記結合部の外形寸法よりも大形になるように形成している。
したがって、改ざんするには、挿通孔を広げる必要があり、前例の封緘具よりもさらに改ざんがしにくい。
また、帯状部が二つ折りになるので、ループを形成したときに、ループ内の膨らみを小さくできるので、他の物品等がループ内に入り込みにくくなる。その結果、封緘具と、他の物品等の絡みを防止できる。【００３３】  第十一の課題解決手段による作用は、第一〜第五の課題解決手段による作用それぞれに加え、帯状部に、鋸歯状の歯を形成する一方、係止頭部の挿通孔に臨むロック部を、揺動自在な爪形状にし、この爪部分は、挿通孔を通る帯状部の鋸歯状の歯と相対し、一方向に前記鋸歯状の歯と係合離脱し、逆方向には帯状部の移動を阻止すべく形成しているので、単純に帯状部を係合頭部に必要長さを差し込むだけで所望のループを形成でき、さらに、大きな力を加えなければ係合頭部から、帯状部が抜けないので、強度が必要な場合や、袋等の口止めに適しており加えて作業性が良い。
【発明の効果】
【００３４】  上述したように、本発明は、改ざんがしにくく、しかも、小さな外力で簡単に封緘を解くことができ、さらに、係止頭部が、帯状部に残ることになるので，封緘が解かれた場合、その痕跡をはっきり確認できると共に、再利用を不可能にできる。【００３５】  なお、本発明で使用する用語の意味を次のように定義する。ただし、ここで定義されていない用語は、一般的な意味を持つ用語として扱う。
封緘具とは、セキュリティを要求される封緘作業に使用するものの他、商品等に取り付けるブランドタグやプライスタグ等の表示用の封緘具、テーマパーク等の入出場や乗り物券用の封緘具、病院等で識別用に使用する封緘具及び各種ケーブルや複数の物品を結束や連結するために使用する封緘具等を言う。【００３６】  帯状部とは、長手方向形状が直線的なもの、Ｕ字形、Ｖ字形にしたものやＳ字形にしたもの、断面形状が、円形、楕円形及び多角形にしたもの、製造上の形態で言うと、延伸したもの、未延伸のものいずれでも良く、係止頭部のロック部と協同して係止できるものを言う。【００３７】  改ざん防止部とは、係止頭部の周りに、帯状部とロック部との係止部分の改ざんを防止できる程度に覆うものであって、断面形状が、中空円のもの、中空楕円のもの、あるいは中空多角形のもので、貫通した筒状のもの、有底部分を有する筒状のものを言う。【００３８】  アクセサリー部とは、封緘を解く場合、手で持ちやすくするためのもの、被封緘内容の表示をするためのもの、他のタグや他の物品を取り付けるためのもの、表示部分のみ、あるいは封緘具全体の姿勢安定用等に利用できるものの他、ぶら下げ用として使用するためのもの等であって、形状的には、限定されるものはないが、あえて例を挙げれば、多角形の平板状、円形または楕円形の平板状のもの、球状のもの、フック若しくはそれに類するものを言う。【００３９】  ＩＣタグとは、大きさが胡麻粒大の集積回路チップに情報を記録し、無線電波で読み出しを行うタグの他、磁石形式等の、単純にオン、オフ機能を持つものを言う。
【発明を実施するための最良の形態】
【００４０】  次に、本発明の実施の形態について、図面を参照しながら詳述する。
まず、図面について説明すると、図１は本発明の、第一の実施の形態を示す一部断面し、一部省略した正面図、図２は、その平面図、図３は、要部を拡大して断面した正面図、図４は、図３の平面図、図５、６は、本発明の封緘具の使用状態を示す説明図、図７は、本発明の、第二の実施の形態を示す一部省略した平面図、図８は、図７の一部を断面し一部省略した正面図、図９は、本発明の第二の実施の形態をさらに展開し、他の実施の形態とした一部斜視図、図１０は、本発明の、第三の実施の形態を示す一部省略した平面図、図１１は、図１０の一部を断面し一部省略した正面図、図１２は、本発明の、第四の実施の形態を示す一部省略した平面図、図１３は、図１２の、一部を断面し一部省略した正面図、図１４は、本発明の、第五の実施の形態を示す一部省略した平面図、図１５は、図１４の一部を断面し一部省略した正面図である。【００４１】    第一の実施の形態について説明すれば、図１〜４において、帯状部１１に、円錐状の大形部１１ｂと直線上の小形部１１ａとを交互に多数設ける。この小形部１１ａは、当初少し太めに短く作っておき、その長手方向に延伸することにより分子配向させながら細く長くする。この延伸させることによる利点は、ポリアミド、ポリプロピレン等の熱可塑性樹脂を原料として射出成形する場合、成形当初は小形部１１ａが太いため、樹脂の流動性が良く成形しやすい。また、延伸後は、分子配向により、帯状部１１の長手方向の引張強度を大きくすることができる上に、曲げ方向には弱く帯状部としての柔軟性を得ることができる。なお、小形部１１ａは、上記の利点を得るためには延伸した方が望ましいが、強度や柔軟性が重要でない場合は、未延伸としても良い。
一方、係止頭部１２のロック部１２ｂは、中空コレット状の複数の可撓爪１２ｃから成る。これらの可撓爪１２ｃは、外観的には裁頭円錐状に形成し、その頂部１２ｄの中空部分１２ａは、前記帯状部１１の大形部１１ｂの最大寸法より小さく、小形部１１ａよりも大きい寸法に形成する。また、各可撓爪１２ｃは、頂部１２ｄの反対側を起点として、ほぼ弾性限度内で外側に撓むように形成する。
そして、各可撓爪１２ｃは、大形部１１ｂが中空部分１２ａを通過するときには、外側に広がって帯状部１１を順送し、前記小形部１１ａが通過するときには、自身の弾性力で元の位置に復帰して、帯状部１１の逆送を防止するようにしている。
さて、上記のように形成した係止頭部１２の周りには、円筒状の改ざん防止部１３を配備している。この改ざん防止部１３は、各可撓爪１２ｃの頂部１２ｄ部分の外側への広げ操作が困難な程度に、頂部１２ｄの上方に延長して形成している。また、改ざん防止部１３と係止頭部１２を、小さな外力で破壊できる程度に細い連結部１４で連結する。この連結部１４は、図３，４に示すように、複数の連結としても良く、単数にしてもよく、あるいは、改ざん防止部と係止頭部の隙間を薄いバリ状の皮膜で連結しても良く、用途により破壊する外力が異なるので、その大きさにより定めればよい。
このように形成した改ざん防止部１３から、上述した帯状部１１を延設する。
また、改ざん防止部１３からは、帯状部の延設方向と反対方向に、アクセサリー部である、平板状の表示部１５を延設する。この表示部１５には、ＩＣタグ１６を配備する。このＩＣタグ１６は、ＩＣチップ１６ａ、アンテナ１６ｂ等を、プラスチックフィルムに形成したものであって、図示しない、別のアンテナとリーダライタとで無線通信するものである。
このような第一の、実施の形態の封緘具は、ポリアミド、ポリプロピレン等の熱可塑性樹脂を原料として一体的に射出成形する。【００４２】  このように構成した封緘具の使用方法について説明すれば、図５において、例えば、図示しない被封緘物を入れた箱Ｘに蓋Ｙをして、これらを封緘する場合は、帯状部１１を箱Ｘと蓋Ｙの穴Ｘ１、Ｙ１に通した後、帯状部１１を係止頭部１２の中空部分１２ａに通す。そして、帯状部１１を引っ張れば、帯状部１１の大形部１１ｂは、各可撓爪１２ｃを外側に広げて中空部分１２ａを通過する。次ぎに小形部１１ａが各可撓爪１２ｃの頂部付近に至ると、各可撓爪１２ｃ自身の弾性力で元の位置に復帰する。この作用を繰り返すと、やがて、帯状部１１のループ径が徐々に狭くなり、所望のループ径に達したときに、帯状部１１の引っ張り作用をやめれば、小形部１１ａが各可撓爪１２ｃの頂部付近にある時に各可撓爪１２ｃは、それ自身の弾性力で元の位置に復帰するので、一度中空部分１２ａから抜け出た大形部１１ｂは、各可撓爪１２ｃの頂部１２ｄに阻害されて、帯状部１１の逆送を防止する。この状態、すなわち、図５の状態では、帯状部１１の大形部１１ｂと各可撓爪１２ｃの頂部１２ｄによる係止部分、いわゆるロック部、係止頭部１２、連結部分１４、改ざん防止部１３及び帯状部１１とで一つのループを形成することになる。
この状態で、万一改ざんしようとした場合、各可撓爪１２ｃの頂部１２ｄは、改ざん防止部１３によりその作業を阻害されるため、頂部１２ｄを外側に広げることは、不可能に近い。
無理にこの作業を続ければ、頂部１２ｄを広げようとする外力が細い連結部１４に伝達され、この連結部１４から破壊されて封緘が解かれてしまうことになり、結局、改ざんは失敗に終わることになる。
したがって、この封緘具を使用すれば、改ざん防止部１３及び連結部分１４の相乗作用効果により、限りない安心感を得ることができる。
なお、上述したように、封緘された被封緘物の各種情報は、ＩＣタグ１６のＩＣチップ１６ａ、アンテナ１６ｂ等と、図示しないリーダーライター及びそのアンテナによる無線通信で管理される。
管理された被封緘物は、やがて開封されるが、その際は、図５の状態の、封緘具の改ざん防止部１３を指で摘んで、帯状部１１を差し込み方向と反対方向に引けば、係止頭部１２と改ざん防止部１３との細い連結部１４が破壊され、係止頭部１２と改ざん防止部１３は分離される。
分離された係止頭部１２は、図６のように、帯状部１１に残ることになり、飛散して紛失することがないので、環境上好ましい。
この状態で、箱Ｘと蓋Ｙの穴Ｘ１、Ｙ１から、係止頭部１２が付いている帯状部１１を抜けば、箱Ｘと蓋Ｙの封緘は解かれる。【００４３】  次ぎに、第二の実施の形態について説明すれば、図７，８において、帯状部２１をフィラメント２１ａ状に形成する。この帯状部２１は、第一の実施の形態同様に、当初少し太めに短く作っておき、その長手方向に延伸することにより分子配向させながら細く長くする。この延伸させることによる利点は、ポリアミド、ポリプロピレン等の熱可塑性樹脂を原料として射出成形する場合、成形当初は帯状部２１が太いため、樹脂の流動性が良く成形しやすい。また、延伸後は、分子配向により、帯状部２１の長手方向の引張強度を大きくすることができる上に、曲げ方向には弱く帯状部としての柔軟性を得ることができる。なお、帯状部２１は、上記の利点を得るためには延伸した方が望ましいが、強度や柔軟性が重要でない場合は、未延伸としても良い。
このように形成した帯状部２１の自由端側に、縮小拡大可能な羽根２１ｃを持つ矢尻状の結合部２１ｂを設けている。この結合部２１ｂは、拡大時はその根元からその自由端側に向かうほど広がる形状になっている。
一方、係止頭部２２のロック部２２ｂは、前記結合部２１ｂの拡大時の外形寸法よりも小形で、縮小時の外形寸法よりも大形の穴２２ａを持つ固定歯２２ｃにしている。
さて、上記のように形成した係止頭部２２の周りには、円筒状の改ざん防止部２３を配備している。この改ざん防止部２３の軸線方向の寸法は、結合部２１ｂの羽根２１ｃを縮めて係止頭部２２のロック部２２ｂの穴２２ａから抜く操作が困難な程度に、穴２２ａの上下方向に延長している。また、改ざん防止部２３と係止頭部２２を、小さな外力で破壊できる程度に細い連結部２４で連結する。この連結部２４は、第一の、実施の形態のように、複数の連結としても良く、単数にしてもよく、あるいは、改ざん防止部と係止頭部の隙間を薄いバリ状の皮膜で連結しても良く、用途により破壊する外力が異なるので、その大きさにより定めればよい。
このように形成した改ざん防止部２３から、上述した帯状部２１を延設する。
また、改ざん防止部２３からは、帯状部の延設方向と反対方向に、アクセサリー部である、平板状の表示部２５を延設する。この表示部２５には、第一の、実施の形態のように、ＩＣタグを配備したり、必要な情報を表示したりする。
この封緘具は、ポリアミド、ポリプロピレン等の熱可塑性樹脂を原料として一体的に射出成形する。【００４４】  次ぎに、この封緘具の使用方法について説明する。
差し込み時の作用は、結合部２１ｂを穴２２ａに差し込むと、結合部２１ｂの羽根２１ｃが縮み、羽根２１ｃが穴２２ａをくぐり抜けたところで元の位置に復帰して、固定歯２２ｃにより逆戻りを防止して、結合部２１ｂ、ロック部２２ｂ、係止頭部２２、連結部分２４、改ざん防止部２３及び帯状部２１とで一つのループを形成する。
この状態で、万一改ざんしようとした場合、改ざん防止部２３の端から、結合部２１ｂの羽根２１ｃまでの距離があるため、羽根２１ｃを縮めることが難しい。
無理にこの作業を続ければ、羽根２１ｃを縮めようとする外力が細い連結部２４に伝達され、この連結部２４から破壊されて封緘が解かれてしまうことになり、結局、改ざんは失敗に終わることになる。
したがって、この封緘具を使用すれば、改ざん防止部２３及び連結部分２４の相乗作用効果により、限りない安心感を得ることができる。
なお、この実施の形態の場合は、係止状態に於いて、第一の、実施の形態とは異なり、帯状部２１の余剰部分が改ざん防止部２３から突出しないようにできるので、例えば、図９に示すように、全体を一体的に射出成形した後に、続いて差し込み方向前方の、改ざん防止部の開口部の一部２３ａを射出成形等を利用して、樹脂により塞げば、さらに、改ざん防止効果を更に高めることもできる。
封緘を解く場合は、改ざん防止部２３を指で摘んで、帯状部２１を差し込み方向と反対方向に引けば、係止頭部２２と改ざん防止部２３との細い連結部２４が破壊され、係止頭部２２と改ざん防止部２３は分離される。
分離された係止頭部２２は、第一の、実施の形態同様に、帯状部２１に残ることになり、飛散して紛失することがないので、環境上好ましい。【００４５】  続いて、第三の実施の形態について説明すれば、図１０，１１において、帯状部３１が中間で二つ折りになっている点で第二の実施の形態と相違するので、相違点のみ説明し、他は第二の実施の形態と同じ構成につき説明を省略する。なお、図面には、第二の実施の形態に関連付けた符合を記載しておく。
さて、帯状部３１を中間で二つ折りにすることにより、封緘具をループ状にした時に前出の実施形態に比べ、帯状部３１の膨らみを小さくできる。これは、ループ状態の帯状部３１内に、外的要因により、物が挟まりにくい点で優れている。【００４６】  第四の、実施の形態について、図１２，１３により説明する。この形態の封緘具は、第二の、実施の形態の封緘具に類似しているので、相違点のみ説明すると、
第二の、実施の形態の封緘具が、帯状部２１の自由端側に、縮小拡大可能な矢尻状の結合部２１ｂを設け、係止頭部２２のロック部２２ｂを前記結合部２１ｂの拡大時の外形寸法よりも小形で、縮小時の外形寸法よりも大形の穴２２ａを持つ固定歯２２ｃにしているのに対して、この実施の形態では、帯状部４１の自由端側に、矢尻状の結合部４１ｂを設け、係止頭部４２のロック部４２ｂを縮小拡大可能な挿通孔４２ａ状に形成し、このロック部４２ｂの挿通孔４２ａは、縮小時に前記結合部４１ｂの外形寸法よりも小形で、拡大時に前記結合部４１ｂの外形寸法よりも大形になるように形成している。
したがって、改ざんするには、挿通孔４２ａを広げる必要があり、第二の、実施の形態の封緘具よりも、さらに改ざんがしにくい。【００４７】  なお、第四の、実施の形態の帯状部４１を、第三の、実施の形態の封緘具のように二つ折りにしても良い。この場合は、改ざん防止効果を高めた上、外的要因により、物が挟まりにくい点でも優れる。【００４８】  更に図１４，１５に基づいて他の実施の形態について説明するが、これまで説明した上述の実施の形態と異なる部分についてのみ説明し、他の同じ構成については説明を省略する。
図１４，１５において、帯状部５１を断面が矩形な帯状に形成し、図のように鋸歯状の歯５１ｂを形成する。
一方、係止頭部５２の挿通孔５２ａに臨むロック部５２ｂを、揺動自在な爪５２ｃ形状にし、この爪５２ｃ部分は、挿通孔５２ｃを通る帯状部５１の鋸歯状の歯５１ｂと相対し、一方向に前記鋸歯状の歯５１ｂと係合離脱し、逆方向には帯状部５１の移動を阻止すべく形成する。
したがって、単純に帯状部５１を係合頭部５２に差し込むだけでループ状になるので、作業性がよく、また係止部分も前出の各実施の形態よりも強くできる。
その結果、ある程度強度が必要な封緘に適している。なお、強度が必要な場合は、係止部分の強度を超えない範囲で連結部分５４を強くすればよい。
なお、改ざん防止部５３は、帯状部５１の差し込み側に延長すると、図２１に示すのような薄い板状片Ｂ等を差し込みにくくなるので、従来の結束バンドに比べて、改ざんしようとしても改ざんがしにくい。【００４９】  なお、上述した各実施の形態の他、帯状部は、その長手方向形状をＵ字形、Ｖ字形やＳ字形にしても良く、断面形状を、円形の他楕円形及び多角形にしても良い。また、製造上の形態で言うと、帯状部は、延伸したものの他、未延伸のものでも良く、要は、係止頭部のロック部と協同して係止できるものであれば良い。【００５０】  また、改ざん防止部は、上述した各実施の形態の他、係止頭部の周りに、帯状部とロック部との係止部分の改ざんを防止できる程度に覆うものであれば、断面形状が、中空円のもの、中空楕円のもの、あるいは中空多角形のもので、貫通した筒状のもの、有底部分を有する筒状のものいずれでも良い。【００５１】  さらに、アクセサリー部は、上述した各実施の形態の他、他のタグや他の物品を取り付けるためにＹ字状にしてそれらを挟む形にしても良く、また、表示部分のみ、あるいは封緘具全体の姿勢安定用等に利用できるもの、例えば、表示部を、被封緘物に挟んだり、両面テープ等で張り付けたり、あるいは、アクセサリー部に穴を穿設して、この穴に、ピンやビスを差し込んだりして姿勢を安定させるようにしても良く、さらに、ぶら下げ用として使用するために、アクセサリー部をフック形状又はそれに類する形状にしても良い。
なお、アクセサリー部の形状は、限定されるものはないが、上述以外にあえて例を挙げれば、多角形の平板状、円形または楕円形の平板状のもの、球状のもの及び、それらに類する形状とすることができる。【００５２】  一方、ＩＣタグは、無線で発信のみ、受信のみ、あるいは受発信できるものの他、磁石形式で、単にオン、オフさせるだけのものでも良い。【００５３】  以上のように各実施形態によれば、改ざん防止部により改ざんがしにくく、また、無理に改ざんしようとすれば、連結部分が破壊されるため、改ざん防止部及び連結部分の相乗作用効果により、限りない安心感を得ることができる。
しかも、小さな外力で簡単に封緘を解くことができるので、開封する際の作業性が極めて良くなる。
さらに、従来の各種封緘具の機構を活用できるので、その優位性を最大限に生かせる封緘具を提供することができる等、その作用効果は大きい。
【図面の簡単な説明】
【００５４】
【図１】  本発明の第一の実施の形態を示す一部断面し一部を省略した正面図
【図２】  図１の平面図
【図３】  要部を拡大して断面した正面図
【図４】  図３の平面図
【図５】  本発明の封緘具の使用状態を示す説明図
【図６】  本発明の封緘具の使用状態を示す説明図
【図７】  本発明の、第二の実施の形態を示す一部断面し一部を省略した平面図
【図８】  図７の一部を断面し一部を省略した正面図
【図９】  本発明の第二の実施の形態をさらに展開し、他の実施の形態とした一部斜視図
【図１０】  本発明の、第三の実施の形態を示す一部を省略した平面図
【図１１】  図１０の一部を断面し一部を省略した正面図
【図１２】  本発明の、第四の実施の形態を示す一部を省略した平面図
【図１３】  図１２の、一部を断面し一部を省略した正面図
【図１４】  本発明の、第五の実施の形態を示す一部を省略した平面図
【図１５】  図１４の一部を断面し一部を省略した正面図
【図１６】  従来の封緘具の説明図
【図１７】  図１６の一部を拡大した説明図
【図１８】  従来の他の封緘具の説明図
【図１９】  図１８の一部を拡大した説明図
【図２０】  従来の他の封緘具の説明図
【図２１】  図２０の一部を拡大した説明図
【符号の説明】
【００５５】６                                    ＩＣタグ
１１，２１，３１，４１，５１          帯状部
１１ａ                                小形部
１１ｂ                                大形部
２１ｂ，３１ｂ，４１ｂ                結合部
５１ｂ                                歯
１２，２２，３２，４２、５２          係止頭部
１２ａ                                中空部分（挿通孔）
２２ａ                                穴（挿通孔）
３２ａ，４２ａ，５２ａ                挿通孔
１２ｂ，２２ｂ，３２ｂ，４２ｂ，５２ｂロック部
１２ｃ                                可撓爪
２２ｃ                                固定歯
５２ｃ                                爪
１３，２３，３３，４３，５３          改ざん防止部
１４，２４，３４，４４，５４          連結部
１５，２５，３５，４５，５５          表示部（アクセサリー部）
【図１】
2005067720.tif 000003
【図２】
2005067720.tif 000004
【図３】
2005067720.tif 000005
【図４】
2005067720.tif 000006
【図５】
2005067720.tif 000007
【図６】
2005067720.tif 000008
【図７】
2005067720.tif 000009
【図８】
2005067720.tif 000010
【図９】
2005067720.tif 000011
【図１０】
2005067720.tif 000012
【図１１】
2005067720.tif 000013
【図１２】
2005067720.tif 000014
【図１３】
2005067720.tif 000015
【図１４】
2005067720.tif 000016
【図１５】
2005067720.tif 000017
【図１６】
2005067720.tif 000018
【図１７】
2005067720.tif 000019
【図１８】
2005067720.tif 000020
【図１９】
2005067720.tif 000021
【図２０】
2005067720.tif 000022
【図２１】
2005067720.tif 000023